(57)【要約】【課題】スキュー調整で生じた対物レンズの高さ位置のずれを容易に修正することが可能な光ピックアップ装置を提供すること。【解決手段】光ピックアップ装置１は、対物レンズ８を保持するレンズホルダ７がピボット３ｄを有する支持体３に可動状態に支持されており、この支持体３が取り付けられる移動ベース２に半導体レーザ９等が担持されている。移動ベース２の貫通孔２ｃには可動受け体１０が昇降可能に挿着されており、この可動受け体１０には受け面１１ａと雄ねじ部１２ａとが設けられている。受け面１１ａにはピボット３ｄが押し付けられており、ねじ孔３ｅ，３ｆに螺着された調節ねじ１５，１６を回すと、ピボット３ｄを支点として支持体３が傾倒するため対物レンズ８のスキュー調整が行える。また、スキュー調整によって生じた対物レンズ８の高さ位置のずれは、雄ねじ部１２ａを回して受け面１１ａを上昇または下降させることで修正できる。【選択図】図３
2010287294.tif 000002
【特許請求の範囲】
【請求項１】
対物レンズを保持するレンズホルダと、ピボットを有すると共に前記レンズホルダを可動状態に支持する支持体と、発光素子を担持して前記支持体が取り付けられる移動ベースとを備え、前記ピボットを支点として前記支持体を傾倒させることにより、前記対物レンズの光軸の傾きが調整可能な光ピックアップ装置において、
前記移動ベースに設けた貫通孔に可動受け体を昇降可能に挿着し、この可動受け体が、前記貫通孔の一端側に配置されて前記ピボットを支持する受け面と、前記貫通孔に螺合する雄ねじ部とを有し、前記貫通孔の他端側で前記雄ねじ部を回すことによって前記受け面の高さ位置が変化するようにしたことを特徴とする光ピックアップ装置。
【請求項２】
請求項１の記載において、前記可動受け体が、前記受け面を有して前記貫通孔に摺動自在に挿入されたピボット受け部材と、前記雄ねじ部を有して前記ピボット受け部材を搭載した高さ調整ねじとで構成されており、前記高さ調整ねじの正逆回転に応じて前記ピボット受け部材が昇降することを特徴とする光ピックアップ装置。
【発明の詳細な説明】
【技術分野】
【０００１】
本発明は、ＣＤやＤＶＤ等の光ディスクに対して情報の記録および／または再生を行うディスク装置に用いられる光ピックアップ装置に係り、特に、対物レンズの光軸の傾き（スキュー）を調整する手段を有する光ピックアップ装置に関するものである。
【背景技術】
【０００２】
光ピックアップ装置における対物レンズのスキュー調整手段として、従来より、レンズアクチュエータの１箇所を移動ベース（ピックアップシャーシ）に設けたすり鉢状のピボット受け部にて支持すると共に、レンズアクチュエータの２箇所を調節ねじを介して移動ベースに取り付けるという構造のものが広く知られている（例えば、特許文献１参照）。移動ベースは、ディスク装置本体の機構シャーシに往復移動可能に取り付けられ、スクリューシャフトの回転に伴ってガイドシャフトに案内されながら光ディスクの径方向へ移動するようになっている。レンズアクチュエータは、対物レンズが保持されたレンズホルダを導電性ワイヤ等を介して可動状態に支持する支持体を備えており、支持体の３箇所に延在する突出片のうちの１つにピボットが設けられ、残り２つにねじ孔が設けられている。このレンズアクチュエータを移動ベースに取り付ける組立工程では、板ばねの付勢力でピボットをピボット受け部に押し当てた状態で、圧縮コイルばねが外装された２本の調節ねじを移動ベースに挿通して支持体の２つのねじ孔に螺着させる。そして、スキュー調整が必要と判断された場合、調節ねじを正方向または逆方向へ回して圧縮コイルばねの圧縮量を適宜変化させることにより、ピボットを中心にレンズアクチュエータを傾倒させて対物レンズの光軸の傾きを調整し、調整完了後に調節ねじは接着剤で固定される。
【０００３】
すなわち、光ピックアップ装置によって光ディスクの信号を正確に読み取るためには、移動ベースに担持されている半導体レーザから出射された光ビームを対物レンズで収束して光ディスクの信号面へ垂直に照射させる必要があるが、製造上のばらつき等により、レンズアクチュエータを移動ベースの所定位置に組み付けただけでは対物レンズの光軸を傾きのない状態に設定することは困難である。そこで、組立時に対物レンズの光軸の傾きを調整するスキュー調整を行うことが多く、光ピックアップ装置の薄型化に好適なスキュー調整手段として、上記の如くピボットを中心に調節ねじでレンズアクチュエータを傾倒させるという構造のものが広く採用されている。
【先行技術文献】
【特許文献】
【０００４】
【特許文献１】特開２００４−１３９７７号公報
【発明の概要】
【発明が解決しようとする課題】
【０００５】
しかしながら、前述した従来のスキュー調整手段では、調節ねじを回してレンズアクチュエータをピボットを中心に傾倒させると、それに伴って対物レンズの高さ位置が若干変動してしまうため、スキュー調整角度が大きい場合、対物レンズの高さ位置が大きくずれてしまう虞があった。特に、対物レンズと光ディスクとの間隔に高い精度が要求されるディスク装置に用いられる光ピックアップ装置にあっては、対物レンズの高さ位置のずれは信号品質に及ぼす影響が大きいため、スキュー調整で生じた対物レンズの高さ位置の変動を修正できないと製造歩留まりが大幅に低下してしまう。
【０００６】
本発明は、このような従来技術の実情に鑑みてなされたもので、その目的は、スキュー調整で生じた対物レンズの高さ位置のずれを容易に修正することが可能な光ピックアップ装置を提供することにある。
【課題を解決するための手段】
【０００７】
本発明は、移動ベース（ピックアップシャーシ）に設けた貫通孔に可動受け体を昇降可能に挿着し、この可動受け体に、レンズアクチュエータのピボットを支持する受け面と、貫通孔に螺合する雄ねじ部とを設けることとした。そして、可動受け体の受け面に押し当てたピボットを支点として対物レンズのスキュー調整を行えるようにし、かつ、移動ベースの貫通孔の他端側から雄ねじ部を回して可動受け体を上昇または下降させることにより対物レンズの高さ位置が修正できるようにした。
【発明の効果】
【０００８】
本発明の光ピックアップ装置は、移動ベースの貫通孔に昇降可能に挿着した可動受け体の受け面にてレンズアクチュエータのピボットを支持しているので、このピボットを支点としてスキュー調整を行ったときに対物レンズの高さ位置がずれても、可動受け体の雄ねじ部を回して受け面を上昇させたり下降させることにより、対物レンズの高さ位置を容易に修正することができる。すなわち、この光ピックアップ装置は、組立時に対物レンズの傾きと高さ位置を共に調整できるため、不良品が発生しにくくなって製造歩留まりが大幅に向上する。
【図面の簡単な説明】
【０００９】
【図１】本発明の実施例に係る光ピックアップ装置の斜視図である。
【図２】該光ピックアップ装置の平面図である。
【図３】該光ピックアップ装置におけるレンズアクチュエータのピボットの支持構造を示す要部断面図である。
【発明を実施するための形態】
【００１０】
本発明は、対物レンズを保持するレンズホルダと、ピボットを有すると共に前記レンズホルダを可動状態に支持する支持体と、発光素子を担持して前記支持体が取り付けられる移動ベースとを備え、前記ピボットを支点として前記支持体を傾倒させることにより、前記対物レンズの光軸の傾き（スキュー）が調整可能な光ピックアップ装置において、前記移動ベースに設けた貫通孔に可動受け体を昇降可能に挿着し、この可動受け体が、前記貫通孔の一端側に配置されて前記ピボットを支持する受け面と、前記貫通孔に螺合する雄ねじ部とを有し、前記貫通孔の他端側で前記雄ねじ部を回すことによって前記受け面の高さ位置が変化するようにした。
【００１１】
このように構成された光ピックアップ装置では、可動受け体の受け面に押し当てたピボットを支点として支持体を適宜傾倒させることにより、対物レンズのスキュー調整を行うことができると共に、かかるスキュー調整で対物レンズの高さ位置が許容値を越えてずれてしまったとしても、可動受け体の雄ねじ部を回して受け面を適宜上昇させたり適宜下降させることにより、対物レンズの高さ位置を容易に修正することができる。したがって、組立時に対物レンズの傾きと高さ位置を共に調整できることになり、不良品が発生しにくくなる。
【００１２】
上記の構成において、可動受け体が、受け面を有して貫通孔に摺動自在に挿入されたピボット受け部材と、雄ねじ部を有してピボット受け部材を搭載した高さ調整ねじとで構成されており、高さ調整ねじの正逆回転に応じてピボット受け部材が昇降するようにしてあると、高さ調整ねじを回して受け面の高さ位置を変更する際に、ピボット受け部材が貫通孔の中心に対して偏心しにくくなるため、対物レンズの高さ位置を修正してもピボットが偏心する虞がなくなって好ましい。ただし、螺進させても貫通孔内でほとんど偏心しない寸法精度が確保されていれば、可動受け体が１つの部材で構成されていてもよい。
【実施例】
【００１３】
以下、本発明の実施例に係る光ピックアップ装置について図１〜図３を参照しつつ説明する。これらの図に示す光ピックアップ装置１は、アルミ合金などの金属あるいは合成樹脂で成形された移動ベース（ピックアップシャーシ）２と、移動ベース２に取り付けられた金属製の支持体３と、支持体３上に固定された合成樹脂製の支持ベース４と、支持ベース４の背面側に固定された基板５と、基板５に片持ち状に固定された導電性ワイヤ６の先端部に支持されているレンズホルダ７と、レンズホルダ７に保持された対物レンズ８と、移動ベース２に担持された半導体レーザ９や図示せぬ受光素子、ミラー、プリズム等を備えて概略構成されている。
【００１４】
移動ベース２の両側部には、円形状のガイド孔２ａとＵ字状のガイド溝２ｂとがそれぞれ形成されている。この移動ベース２は、ディスク装置本体の図示せぬ機構シャーシに往復移動可能に取り付けられ、図示せぬ光ディスクの径方向へ移動するというものである。すなわち、機構シャーシに設けられた図示せぬガイドシャフトをガイド孔２ａに挿通し、かつ該ガイドシャフトに対して平行な図示せぬスクリューシャフトをガイド溝２ｂに係合させることによって、スクリューシャフトの回転に伴って移動ベース２がガイドシャフトに案内されながら直線運動するようになっている。
【００１５】
図３に示すように、移動ベース２には貫通孔２ｃが形成されており、この貫通孔２ｃに可動受け体１０が挿着されている。可動受け体１０は、すり鉢状の受け面１１ａを有して貫通孔２ｃ内の上部に摺動自在に挿入されたピボット受け部材１１と、貫通孔２ｃ内の下部に螺合する雄ねじ部１２ａを有する高さ調整ねじ１２とを組み合わせて構成されており、ピボット受け部材１１は高さ調整ねじ１２に搭載されて同一軸線上に配置されている。受け面１１ａには支持体３の後述するピボット３ｄが板ばね１３の付勢力で常時押し付けられており、貫通孔２ｃの下端側に露出する高さ調整ねじ１２の頭部１２ｂを回すと、高さ調整ねじ１２の正逆回転に応じてピボット受け部材１１が昇降するようになっている。なお、図２に示すように、板ばね１３は取付ねじ１４によって移動ベース２に固定されている。
【００１６】
支持体３や支持ベース４や基板５等によって、対物レンズ８を位置補正可能に支持するレンズアクチュエータが構成されている。なお、図１の斜視図において、レンズアクチュエータを明確にするために移動ベース２は２点鎖線で示してある。支持体３はほとんど移動ベース２の凹所２ｄ内に配置されているが、支持体３の３箇所に延在する突出片３ａ〜３ｃは凹所２ｄの外側で移動ベース２に支持されている。これら３片の突出片３ａ〜３ｃのうち、対物レンズ８の近傍に延在する突出片３ａの先端部にはピボット３ｄが突出形成されている。図３に示すように、このピボット３ｄは移動ベース２の貫通孔２ｃ内の上端部に挿入されて、板ばね１３の付勢力で受け面１１ａに弾接している。残り２つの突出片３ｂ，３ｃの先端部にはそれぞれねじ孔３ｅ，３ｆが形成されており、移動ベース２の図示せぬ孔に挿通された２本の調節ねじ１５，１６がそれぞれねじ孔３ｅ，３ｆに螺着されている。また、各調節ねじ１５，１６には図示せぬ圧縮コイルばねが外装されており、これら圧縮コイルばねが支持体３のねじ孔３ｅ，３ｆの周縁部を下方から付勢しているため、調節ねじ１５，１６を正逆回転させると圧縮コイルばねの圧縮量が変化し、それに伴ってピボット３ｄを中心に支持体３が傾倒するようになっている。なお、支持体３上には相対向する一対のマグネット１７が固定されている。
【００１７】
対物レンズ８を保持するレンズホルダ７には、図示せぬフォーカシングコイルとトラッキングコイルとが配設されており、これらのコイルに導電性ワイヤ６を介して補正電流（制御電流）が通電される。そして、フォーカシングコイルを流れる補正電流とマグネット１７の磁界との相互作用によってレンズホルダ７がフォーカシング方向（図２の紙面と直交する方向）へ微駆動され、トラッキングコイルを流れる補正電流とマグネット１７の磁界との相互作用によってレンズホルダ７がトラッキング方向（図２の上下方向）へ微駆動されるようになっている。
【００１８】
次に、上記した光ピックアップ装置１における対物レンズ８のスキュー調整方法ならびに高さ位置の修正方法について説明する。移動ベース２にレンズアクチュエータを組み付ける際には、支持体３のピボット３ｄが板ばね１３の付勢力で貫通孔２ｃ内の受け面１１ａに押し当てられて、突出片３ｂ，３ｃのねじ孔３ｅ，３ｆにそれぞれ調節ねじ１５，１６が螺着されるため、支持体３は３箇所がバランスよく移動ベース２に支持された状態となる。この状態で移動ベース２を調整用のディスク装置に設置し、対物レンズ８を調整用の光ディスクに対向させる。そして、対物レンズ８の光軸の傾きを調整するために、調節ねじ１５，１６を回してピボット３ｄを中心に支持体３を適宜傾倒させる。その際、調節ねじ１５を回すことによって対物レンズ８の光軸のラジアル方向の傾きが調整でき、調節ねじ１６を回すことによって対物レンズ８の光軸のタンジェンシャル方向の傾きが調整できる。
【００１９】
また、こうしてスキュー調整を行った結果、対物レンズ８の高さ位置が許容値を越えてずれてしまった場合には、可動受け体１０の高さ調整ねじ１２を回してピボット受け部材１１を適宜上昇あるいは適宜下降させることによって、ピボット３ｄが押し付けられている受け面１１ａを所望の高さ位置に配置させる。こうすることによって、対物レンズ８の高さ位置のずれを修正することができる。なお、スキュー調整角度が大きい場合には対物レンズ８の高さ位置が大きくずれてしまうため、高さ調整ねじ１２を回して対物レンズ８の高さ位置を修正した後にスキュー調整を繰り返す必要があるが、２度目のスキュー調整は微調整なので対物レンズ８の高さ位置はさほど変化せず、よって対物レンズ８の高さ位置のずれを許容値以下に抑えつつスキュー調整を行うことは容易である。
【００２０】
以上説明したように、本実施例に係る光ピックアップ装置１は、ピボット受け部材１１の受け面１１ａに押し当てたピボット３ｄを支点として支持体３を適宜傾倒させることにより対物レンズ８のスキュー調整が行えるだけでなく、かかるスキュー調整で対物レンズ８の高さ位置が許容値を越えてずれてしまったときに、高さ調整ねじ１２を回して受け面１１ａを適宜上昇させたり適宜下降させることによって、対物レンズ８の高さ位置を容易に修正することができる。すなわち、この光ピックアップ装置１は、組立時に対物レンズ８の傾きと高さ位置を共に調整できるため、不良品が発生しにくくなって製造歩留まりの大幅な向上が期待できる。
【００２１】
なお、本実施例で用いた可動受け体１０は、受け面１１ａを有して移動ベース２の貫通孔２ｃに摺動自在に挿入されたピボット受け部材１１と、雄ねじ部１２ａを有してピボット受け部材１１を搭載した高さ調整ねじ１２という２つの部材で構成されており、高さ調整ねじ１２を回して受け面１１ａの高さ位置を変更する際に、ピボット受け部材１１が貫通孔２ｃの中心に対して位置ズレ（偏心）しにくくなっているため、対物レンズ８の高さ位置を修正してもピボット３ｄが偏心する虞はない。ただし、螺進させても貫通孔２ｃ内でほとんど偏心しない寸法精度が確保されていれば、可動受け体１０が１つの部材で構成されていてもよい。
【符号の説明】
【００２２】
１  光ピックアップ装置
２  移動ベース
２ｃ  貫通孔
３  支持体
３ａ，３ｂ，３ｃ  突出片
３ｄ  ピボット
３ｅ，３ｆ  ねじ孔
４  支持ベース
５  基板
６  導電性ワイヤ
７  レンズホルダ
８  対物レンズ
９  半導体レーザ（発光素子）
１０  可動受け体
１１  ピボット受け部材
１１ａ  受け面
１２  高さ調整ねじ
１２ａ  雄ねじ部
１３  板ばね
１５，１６  調節ねじ
【図１】
2010287294.tif 000003
【図２】
2010287294.tif 000004
【図３】
2010287294.tif 000005